(57)【要約】【課題】ネジ締め接続方式と押し締め接続方式の双方に共用して充分な信頼性が得られるようにした端子台を提供すること。【解決手段】ネジ締め形接続部Ｙと押し締め形接続部Ｚの双方を設け、ネジ締め形接続部Ｙのビス１を押し締め形接続部Ｚの空洞部４ａ内に挿通させることにより、このビス１が、ネジ締め形接続部Ｙにおける電線接続端の締付用と、押し締め形接続部Ｚにおける電線接続端の押し締め用に共用されるようにしたもの。【効果】配線される電線に施される先端処理としての棒端子の大きさや、先端処理を施さないで配線できる電線径の制約がなくなり、更には先端処理を施さない電線の配線時における信頼性の向上を実現できる。【選択図】　図１
2004022405.tif 000002
【特許請求の範囲】
【請求項１】
ネジ締め形接続部と押し締め形接続部の双方を備えた端子台において、
前記ネジ締め形接続部のビスを前記押し締め形接続部の空洞部内に挿通させ、
前記ビスが、前記ネジ締め形接続部における電線接続端の締付用と、前記押し締め形接続部における電線接続端の押し締め用に共用されるように構成したことを特徴とする端子台。
【請求項２】
請求項１に記載の端子台において、
前記ネジ締め形接続部と前記押し締め形接続部は、前記ビスが螺合される雌ねじ部を挟んで、当該雌ねじ部の一方の面と他方の面に設けられ、
前記雌ねじ部が前記ネジ締め形接続部の締付台座部を形成するように構成したことを特徴とする端子台。
【請求項３】
請求項１又は請求項２に記載の端子台において、
前記ネジ締め形接続部と前記押し締め形接続部が前記ビスの螺合方向に直交して、少なくとも２個、並んで配置されていることを特徴とする端子台。
【請求項４】
請求項３に記載の端子台において、
前記ネジ締め形接続部は隣同士で同一平面上に位置し、前記押し締め形接続部は隣同士で交互に異なった平面上に位置していることを特徴とする端子台。
【発明の詳細な説明】
【０００１】
【発明の属する技術分野】
本発明は、電気機器の端子台に係り、特にインバータ装置に好適な端子台に関する。
【０００２】
【従来の技術】
インバータ装置などの電気機器は電源や負荷などと電線で接続されて使用されるのが一般的であり、このため、電線接続用の端子台を備えているのが通例である。
【０００３】
そして、このような電気機器に装備される端子台には、代表的な例として、ネジ締め接続方式の端子台と押し締め接続方式の端子台があり、何れも従来からインバータ装置に広く使用されている。
【０００４】
ここで、まず図４（ａ）、（ｂ）は、ネジ締め接続方式の端子台１０の一例で、図において、１はビス（頭付の小ネジのこと）、２は本体モールド部、３は締付台座部であり、ビス１は、金属製の締付台座部３に設けてある雌ねじ孔に螺合（ねじ込み）されることにより、締付台座部３と共にネジ締め形接続部を構成し、これにより電線の接続端を締付けて接続する。
【０００５】
そして、このネジ締め接続方式の端子台１０に対しては、図７（ａ）に示すリング型端子７が接続端に取付けられた電線Ｗ１、又は同図（ｂ）に示すＵ字型端子８が接続端に取付けられた電線Ｗ２を使用する。なお、これらのリング型端子７とＵ字型端子８には、通称、アンプ（商品名）と呼ばれている圧接方式の端子が使用されている。
【０００６】
そして、図７（ａ）に示すリング型端子７の場合は、ビス１を一旦、取り外してから端子７の孔にビス１を通した後、締付台座部３にねじ込んで接続するが、図７（ｂ）に示すＵ字型端子８の場合は、ビス１を緩めただけで、Ｕ字型の開口をビス１に挿通でき、この後、ビス１を締付台座部３にねじ込んで接続することになる。
【０００７】
次に図５（ａ）、（ｂ）は、押し締め接続方式の端子台２０の一例で、図において、１はビス、２は本体モールド、それに４は押し締め接続部である。なお、ビス１と本体モールド２は、図４の端子台１０と同じである。
【０００８】
この押し締め接続部４は、長方形の空洞部４ａを備え、この中に、図では上側からビス１の先端が突出せるように作られているもので、その空洞部４ａの中に電線の接続端を挿入した後、ビス１をねじ込み、ビス１の先端で電線の接続端を抑え付けて固定することにより押し締め形接続部を構成し、接続が得られるようになっている。
【０００９】
このとき、この方式の端子台２０に対しては、図８（ａ）に示す棒端子９が接続端に取付けた電線Ｗ３、又は同図（ｂ）に示すように、単に接続端の被覆を剥いで芯線１０を露出させただけの電線Ｗ４を使用する。
【００１０】
ところで、これら図４の端子台１０又は図５の端子台２０を用いた場合、例えばインバータ装置などの電気機器では、何れか一方の端子台が装備されることになり、このため、例えばユーザ側では、その電気機器の接続に使用する電線の接続端の端子形式が、当該電気機器が備えている端子台の形式に依存して決められてしまう。
【００１１】
また、このときユーザ側の意向が尊重される場合には、当該電気機器のメーカ側では、ユーザ側の意向に応じて何れが一方の端子台を選択し、それを当該ユーザ向けの電気機器とする必要があるが、この場合、メーカ側では、ネジ締め接続方式の端子台と押し締め接続方式の端子台の２種類を用意しておく必要があり、管理工数の増加となる。
【００１２】
そこで、上記の問題に対処するため、従来技術として、ビスに付随しているワッシャを利用し、ネジ締め接続方式の端子台でも、接続端に棒端子を取付けた電線や、被覆を剥いて芯線を露出させただけの電線か接続できるようにした端子台が知られており、その一例を図６（ａ）、（ｂ）、（ｃ）に端子台１１として示す。
【００１３】
この図６において、６はワッシャ（孔明き座金）で、このワッシャ６は、外形が締付台座部３の接続面の形状に合わせて略方形に作られた上でビス１に挿通されていて、ビス１を締付台座部３にねじ込むと、それにつれて一緒に締付台座部３に締付けられるようになっている。
【００１４】
そして、この図６の端子台１１でも、ビス１、本体モールド２、それに締付台座部３は、図４に示した端子台１０と同じであり、従って、この端子台１１は、ビス１にワッシャ６があるだけで、全体としては、図４に示した端子台１０と同じネジ締め接続方式になっている。
【００１５】
従って、この従来技術によるネジ締め接続方式の端子台１１でも、図７（ａ）に示すリング型端子７の場合と図７（ｂ）に示すＵ字型端子８の場合は、ワッシャ６と締付台座部３により、図４の端子台１０と同じようにして接続することができる。
【００１６】
一方、この端子台１１の場合は、更に図８（ａ）に示す棒端子９を接続端に取付けた電線Ｗ３も接続でき、図８（ｂ）に示す芯線１０を露出させただけの電線Ｗ４でも接続することができる。
【００１７】
すなわち、この場合は、図６（ｃ）に示すように、ビス１を緩めた上で、ワッシャ６と締付台座部３の間に棒端子９又は芯線１０を挿入し、この後、ビス１を締付けてやればよく、従って、この従来技術による端子台１１によれば、ネジ締め接続方式と押し締め接続方式に共用することができる。
【００１８】
【発明が解決しようとする課題】
上記従来技術は、押し締め接続方式の端子台に必要な性能の保持に充分な配慮がされているとは言えず、押し締め接続方式として使用した際に接続可能な電線の接続端処理と電線の太さに制約を受ける上、接続についての信頼性に問題があった。
【００１９】
従来技術では、図６（ｃ）に示すように、接続すべき電線の棒端子９又は芯線１０がビス１の一方にだけ存在した状態でネジ締めされるため、ビス１に曲げ応力が発生してしまうので、均一なネジ締めが困難になり、このため、棒端子９や芯線１０が太くなると、ネジ締めによる固定が不安定になって、接続が不確実になってしまう。
【００２０】
また、先端処理を施さない電線による配線時で線径が太い場合には、被覆を剥いた芯線部分が圧迫されてつぶれる虞れが生じ、芯線部分がワッシャからはみ出して電線が外れ易くなつてしまう。
【００２１】
従って、従来技術では、配線される電線に施される先端処理としての棒端子の太さと、先端処理を施さないで配線できる電線の径に制約が生じてしまう上、接続部分に対する信頼性に問題が生じてしまうのである。
【００２２】
本発明の目的は、ネジ締め接続方式と押し締め接続方式の双方に共用して充分な信頼性が得られるようにした端子台を提供することにある。
【００２３】
【課題を解決するための手段】
上記目的は、ネジ締め形接続部と押し締めたた接続部の双方を備えた端子台において、前記ネジ締め形接続部のビスを前記押し締め形接続部の空洞部内に挿通させ、前記ビスが、前記ネジ締め形接続部における電線接続端の締付用と、前記押し締め形接続部における電線接続端の押し締め用に共用されるようにして達成される。
【００２４】
ここで、前記ネジ締め形接続部と前記押し締め形接続部は、前記ビスが螺合される雌ねじ部を挟んで、当該雌ねじ部の一方の面と他方の面に設けられ、前記雌ねじ部が前記ネジ締め形接続部の締付台座部を形成するようにしても良い。
【００２５】
次に、ここで、前記ネジ締め形接続部と前記押し締め形接続部が前記ビスの螺合方向に直交して、少なくとも２個、並んで配置されているようにしても良く、前記ネジ締め形接続部は隣同士で同一平面上に位置し、前記押し締め形接続部は隣同士で交互に異なった平面上に位置しているようにしても良い。
【００２６】
本構造の端子台によれば、配線される電線に施される先端処理としての棒端子の大きさや、先端処理を施さないで配線できる電線径の制約がなくなり、更には先端処理を施さない電線の配線時における信頼性の向上を実現できる。
【００２７】
【発明の実施の形態】
以下、本発明による端子台について、図示の実施の形態により詳細に説明すると、まず、図１は本発明の第１の実施形態で、図において、Ｙがネジ締め形接続部で、Ｚが押し締め形接続部であり、端子台の全体は１２で表わしてある。
【００２８】
ここで、この図１の実施形態は、図示の状態で、まず、端子台１２の上側に複数個のネジ締め形接続部Ｙを横に並べて、すなわち、ビス１の螺合方向に直交して、少なくとも２個、並んで配置させたものであり、次に、押し締め形接続部Ｚは、その空洞部４ａが、図１（ａ）の平面図では下側を向き、同図（ｂ）の正面図では手前に向いている面に開口した状態で、ネジ締め形接続部Ｙの各々の下側に、同じく複数個、横に並んで配置させた場合の一実施形態を示したものである。
【００２９】
この図１において、ビス１と本体モールド２、締付台座部３、それに押し締め接続部４は、図４と図５の端子台と同じである。そして、この図において、５は接続端押板で、金属板で作られ、その上面がビス１の先端部に当接するようにして、押し締め接続部４の空洞部４ａ内に収納されている。
【００３０】
そして、このビス１には、図２（ａ）に拡大して示したように、締付台座３にス　トローク一杯にねじ込んで、その先端で接続端押板５を押したとき、この接続端押板５が空洞部４ａの底部に接した上で、更に所定の力で底部に押し付けられるのに充分な長さを有するものが用いられている。
【００３１】
次に、この実施形態による端子台１２の使用態様について説明する。まず、ビス１をストローク一杯に緩めと、図２（ｂ）に示すように、ビス１の頭の下面と締付台座３の間に空間ＧＹが生じ、同時に空洞部４ａの中で接続端押板５の下面と底部の間にも空間ＧＺが生じる。
【００３２】
そこで、いま、この端子台１２に接続すべき電線が、図７（ｂ）に示す電線Ｗ２の場合は、その接続端にあるＵ字型端子８を空間ＧＹに挿入させた後、ビス１を締め付けてやれば、Ｕ字型端子８がビス１の頭で締付台座３に締付けられ、固定されるので、配線が完了する。
【００３３】
また、端子台１２に接続すべき電線が、図８（ａ）に示す電線Ｗ３又は同図（ｂ）に示す電線Ｗ４の場合は、棒端子９又は芯線１０の何れかを空間ＧＹに挿入させた後、ビス１を締め付けてやれば、今度は接続端押板５により、棒端子９又は芯線１０の何れかが空洞部４ａの底部に押し付けられ、固定されるので、配線が完了する。
【００３４】
一方、端子台１２に接続すべき電線が、図７（ａ）に示す電線Ｗ１の場合は、一旦、締付台座部３からビス１を抜き取った後、リング型端子７の孔にビス１を通した後、締付台座部３にねじ込んでやれば、配線が完了する。
【００３５】
従って、この図１の実施形態によれば、この端子台１２により接続すべき電線がネジ締め接続方式に対応した端子構造になっていた場合でも、押し締め接続方式に対応した端子構造になっていた場合の何れにも１台の端子台で対応することができる。
【００３６】
しかも、この実施形態に係る端子台１２によれば、接続すべき電線が押し締め接続方式に対応した端子構造になっていた場合、つまり、図８（ａ）に示す棒端子９が接続端に取付けた電線Ｗ３、又は同図（ｂ）に示す芯線１０を露出させただけの電線Ｗ４の何れの場合でも、押し締め接続方式による接続が得られ、従って、この実施形態によれば、接続について信頼性が低下する虞れがなく、常に高い信頼性が確実に得られることになる。
【００３７】
ところで、上記実施形態において、ネジ締め形接続部Ｙと押し締め形接続部Ｚの間隔が同じである必要は特に無いから、任意に決めることができ、例えば、図３の第２の実施形態として示すように、押し締め形接続部Ｚの横方向の配列状態を千鳥形にした端子台１２としても良い。
【００３８】
この図３の実施形態によっても、図１と図２で説明した実施形態と同じ効果が得られる上、押し締め形接続部４に対する電線の配列に自由度を与えることができる。
【００３９】
ところで、押し締め接続方式の端子台としては、図５（ａ）、（ｂ）に示した押し締め接続方式の端子台２０の外にも、図９（ａ）、（ｂ）に示す端子台２０Ａも知られている。この図９において、ビス１、本体モールド２、押し締め接続部４は、図５の端子台と同じであるが、ここで、５Ａは接続端押板である。
【００４０】
ここで、この接続端押板５Ａは雌ネジ孔が設けてあって、これにビス１がねじ込まれており、一方、本体モールド２のビス１が通る孔はいわゆるバカ孔になっている。従って、ビス１を回すことにより、接続端押板５Ａは押し締め接続部４内で上下し、このとき、接続端押板５Ａの上側に接続すべき電線の端部を挿入してビス１を締めることにより、配線が得られるようになっているものである。
【００４１】
そこで、図１０は本発明の第３の実施形態に係る端子台１２Ａで、これは、図４で説明したネジ締め接続方式の端子台１０と図９に示した押し締め接続方式の端子台２０Ａを組み合わせたものであり、符号は図１で説明した第１の実施形態と同じである。
【００４２】
また、図１１は、この第３の実施形態による端子台１２Ａの要部を拡大して示したもので、ここでも、符号は図２で説明した第１の実施形態と同じであり、従って、詳しい説明は割愛する。
【００４３】
更に、図１２は、本発明の第４の実施形態で、これも、図４で説明したネジ締め接続方式の端子台１０と図９に示した押し締め接続方式の端子台２０Ａを組み合わせたものでああるが、このとき、図３の実施形態と同じく、押し締め形接続部Ｚの横方向の配列状態を千鳥形にしたものである。
【００４４】
本発明の実施形態による端子台は、何れの場合も、そのネジ締め形接続部Ｙと押し締め形接続部Ｚが導電状態にされている必要があるが、上記実施形態では、何れもビス１が共通になっていて、この条件が満たされている。
【００４５】
しかし、本発明の実施形態としては、ビス１による以外にも、これとは別の方法で、或いはビス１による方法に加えて、ネジ締め形接続部Ｙと押し締め形接続部Ｚの間の導電性が得られるようにしても良いことは言うまでもなく、例えば、押し締め接続部４の空洞部４ａを金属製の部材で囲み、これをネジ締め形接続部Ｙの締付台座部３と一体に形成させるようにしても良い。
【００４６】
このように、上記実施形態によれば、例えばインバータ装置に配置又は実装される端子台として、１台でネジ締め接続方式と押し締め接続方式に共用でき、しかも、このとき、上記実施形態によれば、配線に使用すべき電線について、それに施される先端処理としての棒端子の大きさや、先端処理を施さないで配線することができる電線径の制約がなくなり、更には先端処理を施さない電線の配線時において線径が太い場合でも、信頼性の向上が容易に実現できる。
【００４７】
従って、この実施形態による端子台が備えられていれば、例えばインバータ装置のユーザ側では、使用する電線の接続端処理が、電線が接続される端子台の構造に依存されないので、任意の端子構造を取ることができ、この結果、既存の配線に対しても容易に適用させることができる。
【００４８】
また、この実施形態による端子台によれば、インバータ装置のメーカ側では、ユーザ側で使用する電線の先端処理方法を気にしなくて良いので、管理工数が低減でき、コストを抑えることができる。
【００４９】
【発明の効果】
本発明によれば、配線される電線に施される先端処理としての棒端子の大きさや、先端処理を施さないで配線できる電線径の制約がなくなり、更には先端処理を施さない電線の配線時において、線径が太い場合でも信頼性の向上が容易に実現できる。
【図面の簡単な説明】
【図１】本発明による端子台の第１の実施形態を示す説明図である。
【図２】本発明による端子台の第１の実施形態を示す詳細説明図である。
【図３】本発明による端子台の第２の実施形態を示す説明図である。
【図４】ネジ締め接続方式の端子台の一例を示す説明図である。
【図５】押し締め接続方式の端子台の一例を示す説明図である。
【図６】ネジ締め接続方式の端子台の別の一例を示す説明図である。
【図７】配線用の電線の接続端処理に使用されるリング型端子とＵ字型端子の一例を示す説明図である。
【図８】配線用の電線の接続端処理に使用される棒端子と芯線だけによる場合の一例を示す説明図である。
【図９】押し締め接続方式の端子台の別の一例を示す説明図である。
【図１０】本発明による端子台の第３の実施形態を示す説明図である。
【図１１】本発明による端子台の第３の実施形態を示す詳細説明図である。
【図１２】本発明による端子台の第４の実施形態を示す説明図である。
【符号の説明】
１　ビス
２　本体モールド
３　締付台座
４　押し締め接続部
４ａ　空洞部
５、５Ａ　接続端押板
６　ワッシャ
７Ａ　リング型端子
７Ｂ　Ｕ字型端子
８Ａ　棒端子
８Ｂ　芯線（電線の被覆を剥いだ部分）
１０　ネジ締め接続方式の端子台
１１　他のネジ締め接続方式の端子台
１２　本発明の第１の実施形態による端子台
１３　本発明の第２の実施形態による端子台
１２Ａ　本発明の第３の実施形態による端子台
１３Ａ　本発明の第４の実施形態による端子台
２０　押し締め接続方式の端子台
２０Ａ　他の押し締め接続方式の端子台
Ｙ　ネジ締め形接続部
Ｚ　押し締め形接続部
ＧＹ　ネジ締め形接続部の空間
ＧＺ　押し締め形接続部の空間
【図１】
2004022405.tif 000003
【図２】
2004022405.tif 000004
【図３】
2004022405.tif 000005
【図４】
2004022405.tif 000006
【図５】
2004022405.tif 000007
【図６】
2004022405.tif 000008
【図７】
2004022405.tif 000009
【図８】
2004022405.tif 000010
【図９】
2004022405.tif 000011
【図１０】
2004022405.tif 000012
【図１１】
2004022405.tif 000013
【図１２】
2004022405.tif 000014